(57)【特許請求の範囲】
【請求項１】
たて糸とよこ糸で筒状に織られたジャケットで覆われ、扁平された状態でホース幅の両縁となる第１の耳部及び第２の耳部と、前記第１の耳部と前記第２の耳部の間にそれぞれ位置する一対の領域と、を有するホース部と、
前記ホース部の長さ方向に沿って外面に露出して配置され前記ホース部の素地の色と異なる色に着色された第１の表示ラインと、
前記ホース部の外面に前記第１の表示ラインに平行して配置され前記ホース部の素地の色と異なる色に着色されるとともに、前記第１の表示ラインとの境界を中心に前記第１の表示ラインに対して色及び線幅の少なくとも一方が非対称である第２の表示ラインと、を備え、
前記一対の領域の一方に前記第１の表示ライン及び前記第２の表示ラインの第１の組が配置され、
前記一対の領域の他方に前記第１の表示ライン及び前記第２の表示ラインの第２の組が配置され、
前記第１の組の前記第１の表示ラインは、前記ホース部の周方向において前記第１の組の前記第２の表示ラインよりも前記第１の耳部の近くに位置し、
前記第２の組の前記第１の表示ラインは、前記周方向において前記第２の組の前記第２の表示ラインよりも前記第２の耳部の近くに位置する
ことを特徴とする消防用ホース。
【請求項２】
前記第１の表示ライン及び前記第２の表示ラインは、前記ホース部の素地の色と異なる色に着色されたたて糸で形成されている
ことを特徴とする請求項１に記載された消防用ホース。
【請求項３】
前記第１の表示ラインは、前記ホース部の素地の色と異なる第１の色であり、
前記第２の表示ラインは、前記ホース部の素地の色及び第１の色と異なる第２の色である
ことを特徴とする請求項１または請求項２に記載された消防用ホース。
【請求項４】
前記第１の表示ラインと前記第２の表示ラインの間に前記第１の色及び前記第２の色と異なる第３の色の境界ラインをさらに備える
ことを特徴とする請求項３に記載された消防用ホース。
【請求項５】
前記境界ラインの前記第３の色は、前記ホース部の素地の色と同色である
ことを特徴とする請求項４に記載された消防用ホース。
【請求項６】
前記第１の表示ラインと前記第２の表示ラインの間に前記ホース部の素地の色と同色の境界ラインをさらに備え、
前記第２の表示ラインは、前記第１の表示ライン及び前記境界ラインを足し合わせた幅よりも大きい線幅を有している
ことを特徴とする請求項１から請求項４のいずれか１項に記載された消防用ホース。
【請求項７】
前記第１の耳部と前記第２の耳部の間において前記第１の表示ラインおよび前記第２の表示ラインと平行に配置された第３の表示ラインをさらに備え、
前記第１の表示ラインは、前記周方向において前記第２の表示ラインと前記第３の表示ラインとの間に位置し、
前記第１の表示ラインの幅は、前記第３の表示ラインの幅よりも大きく、
前記第２の表示ラインの幅は、前記第１の表示ラインの幅よりも大きい
ことを特徴とする請求項１から請求項６のいずれか１項に記載された消防用ホース。
【請求項８】
前記ホース部の中央側から端部を見て第１の表示ラインが左側に位置する第１の端部に取り付けられた雄型金具と、
前記ホース部の中央側から端部を見て第２の表示ラインが左側に位置する第２の端部に取り付けられた雌型金具と、をさらに備える
ことを特徴とする請求項１から請求項７のいずれか１項に記載された消防用ホース。
【請求項９】
前記ホース部は、前記第１の耳部の範囲を示す第１の目印線と、前記第２の耳部の範囲を示す第２の目印線とを有し、
前記第１の表示ラインと前記第１の目印線との間、及び、前記第２の表示ラインと前記第２の目印線との間に、前記ホース部の素地の色の領域が設けられている
ことを特徴とする請求項１から請求項８のいずれか１項に記載された消防用ホース。
【発明の詳細な説明】
【技術分野】
【０００１】
本発明は、水源側の端部に雌金具を有し、放水側の端部に雄金具を有した消防用ホースに関する。
【背景技術】
【０００２】
火災現場において、消防用ホースは、水源であるポンプ車から放水側である火災現場まで、複数本接続されて引き回される。ビル火災などの場合、消防隊員は、放水ノズルを抱えて建物の奥まで侵入し、消火活動を行う。建物内部では外部からの光が届きにくく、建物の外へ退避するための帰還経路が分かりにくい。このとき、ビル内に入る際に引き込んだ消防用ホースを逆にたどって外へ脱出するように訓練をしている。消防用ホースを抱えている消防隊員はすぐさまそのホースの位置が分かるが、要救助者の捜索活動を行っていた消防隊員は、消防用ホースから逸れたところに行くので、消防用ホースの位置が分からなくなることも有る。
【０００３】
特許文献１に記載された消防用ホースは、ホースの外表面に長さ方向に配される樹脂層の縦色線を所定の規則性を有してホース長さ方向に変化する断続的に描くことで、消防隊員が脱出方向を判断しやすくしている。このとき縦色線に蓄光材や反射材を含有することで視認性を向上させている。
【０００４】
また特許文献２に記載された消防用ホースは、ホースの外表面にホースの長手方向に沿って雌金具側を指し示す形状のマークを蓄光塗料や蛍光塗料など発光性の塗料で列状に付着されている。
【先行技術文献】
【特許文献】
【０００５】
【特許文献１】特開２０１４−０５９０２４号公報
【特許文献２】特開２００４−１３２４４３号公報
【発明の概要】
【発明が解決しようとする課題】
【０００６】
ところで、消防用ホースは、たて糸とよこ糸を密に筒状に織られたジャケットで覆われている。樹脂層の縦色線はこのジャケットの外表面に貼り付けられているので、擦れて部分的に剥がれ落ちることも有る。特許文献１のように、断続的に配された縦色線の規則性の変化（各パーツ線が段階的に長くなる）によって、脱出方向を規定する場合、規則性の変化を見出すための一定の長さが必要である。また、パーツのいくつかが摩耗によって途切れ本来の長さではなくなっていると、脱出方向を判断しづらい。
【０００７】
蓄光塗料や蛍光塗料あるいは反射材は材料コストが高く、これらを含有する縦色線を消防用ホースの外表面に設けることは、消防用ホースの製造単価を高くする。また、特許文献１及び特許文献２の蓄光材や蛍光材あるいは反射材を含有する樹脂層は、消防用ホースの外表面に付着されるので、消防用ホースを現場で引きずることで摩耗し、剥れやすい。特に、特許文献１の消防用ホースのように規則性を有した縦色線が、擦れて摩耗し、規則性を失うと、脱出方向を判別するための機能を果たさなくなるため、買い替える必要が生じる。
【０００８】
そこで、本発明は、わずかな長さでも消防隊員が脱出方向を判断することができかつ耐摩耗性に優れた指標を有する消防用ホースを提供する。
【課題を解決するための手段】
【０００９】
本発明に係る一実施形態の消防用ホースは、ホース部と第１の表示ラインと第２の表示ラインとを備える。ホース部は、たて糸とよこ糸で筒状に織られたジャケットで覆われている。第１の表示ラインは、ホース部の長さ方向に沿って外面に露出して配置され、ホース部の素地の色と異なる色に着色されている。第２の表示ラインは、ホース部の外面に第１の表示ラインに平行して配置され、第１の表示ラインとの境界を中心に第１の表示ラインに対して色及び線幅の少なくとも一方が非対称である。ここで、「色が非対称である」とは、第１の表示ラインと第２の表示ラインの色がそれぞれ単色で互いに異なる色であることに加え、模様や図柄など互いの色の配色が異なる場合も含む。また、「線幅が非対称である」とは、第１の表示ラインと第２の表示ラインの線幅が異なっている場合であり、線幅の差を判別するのに正面から見て容易に判別できる程度の差を有していることを意味する。
【００１０】
このとき、第１の表示ライン及び第２の表示ラインは、ホース部の素地の色と異なる色に着色されたたて糸で形成する。また、第１の表示ラインは、ホース部の素地の色と異なる第１の色であり、第２の表示ラインは、ホースの素地の色及び第１の色とは異なる第２の色であることも好ましい。このとき、第１の表示ラインと第２の表示ラインの間に第１の色及び第２の色とは異なる第３の色の境界ラインを備えるとよい。また、境界ラインの第３の色は、ホース部の素地の色と同色であってもよい。
【００１１】
また、第１の表示ラインと第２の表示ラインの間にホース部の素地の色と同色の境界ラインをさらに備え、第２の表示ラインは、第１の表示ライン及び境界ラインを足し合わせた幅よりも大きい線幅を有していてもよい。
【００１２】
また、第１の表示ライン及び第２の表示ラインが並ぶどちらか一方の外側に、第１の表示ライン及び第２の表示ラインとは線幅の異なる第３の表示ラインをさらに備えることも好ましい。また、第１の表示ライン及び第２の表示ラインの組は、ホース部の周方向に少なくとも２か所に配置されていることが好ましい。
【００１３】
さらに、上述の消防用ホースにおいて、雄型金具と雌型金具とをさらに備える。雄型金具は、ホース部の中央側から端部を見て第１の表示ラインが左側に位置する第１の端部に取り付けられている。雌型金具は、ホース部の中央側から端部を見て第２の表示ラインが左側に位置する第２の端部に取り付けられている。
【００１４】
また、本発明の消防用ホースの端部識別方法は、上述のように雄型金具と雌型金具が各々端部に取り付けられた消防用ホースに対して適用される端部識別方法であって、第１の表示ライン及び第２の表示ラインの一方から他方へ横切るようにＳ字を描いた場合、終端が第１の表示ラインに位置するときはホース部の左側の端部に雄型金具が取り付けられていると判定し、終端が第２の表示ラインに位置するときはホース部の左側の端部に雌型金具が取り付けられていると判定する。
【発明の効果】
【００１５】
本発明に係る消防用ホースによれば、第１の表示ラインと第２の表示ラインの境界を中心に第２の表示ラインが第１の表示ラインに対して色及び線幅の少なくとも一方が非対称であるように設けられているので、第１の表示ライン及び第２の表示ラインを基にホース部の端部を区別することができる。つまり、第１の表示ライン及び第２の表示ラインが設けられたホース部のわずかな一部分を見るだけで、雄型金具及び雌型金具がそれぞれどちら側の端部に取り付けられているか判別することが可能である。
【００１６】
したがって、消火活動において視界の悪い建物の奥へ入った場合でも、水源側となる雌型金具がどちらに取り付けられているかを判断することで、消防隊員は、脱出方向が分かり、消防用ホースに沿って速やかに退避することができる。
【００１７】
第１の表示ライン及び第２の表示ラインがホース部の素地の色と異なる色に染色されたたて糸で形成されたことが発明の消防用ホースによれば、消防用ホースを火災現場において引き摺った場合でも、第１の表示ライン及び第２の表示ラインが擦れて途切れたりかすれたりすることが無い。つまりこの消防用ホースは、ホース部の表面が多少擦れても、各表示ラインの色や線幅が変わることが無く、耐久性に優れている。
【００１８】
また、第１の表示ラインがホース部の素地の色と異なる第１の色であり、第２の表示ラインがホース部の素地の色及び第１の色とは異なる第２の色であることが発明の消防用ホースによれば、色を基に瞬時に判断できるようになる。
【００１９】
第１の表示ラインと第２の表示ラインの間に第１の色及び第２の色とは異なる第３の色の境界ラインを備えることが発明の消防用ホースによれば、第１の表示ラインと第２の表示ラインを識別しやすく、かつ、一組となる第１の表示ラインと第２の表示ラインの組み合わせを判別しやすい。境界ラインの第３の色がホース部の素地の色と同色である場合は、生産コストを抑えることができる。
【００２０】
また、第１の表示ラインと第２の表示ラインの間にホース部の素地の色と同色の境界ラインをさらに備え、第１の表示ライン及び境界ラインを足し合わせた幅よりも大きい線幅を第２の表示ラインが有していることが発明の消防用ホースによれば、火災現場において光源の色によって第１の表示ライン及び第２の表示ラインの色を区別しづらい場合でも、線幅の違いを基に雌型金具側を判定して容易に脱出方向を判断することができる。
【００２１】
または、第１の表示ライン及び第２の表示ラインが並ぶどちらか一方の外側に、第１の表示ライン及び第２の表示ラインとは線幅の異なる第３の表示ラインをさらに備えることが発明の消防用ホースによれば、第３の表示ラインがあることでより明確に雌型金具が取り付けられている端部を判別することができ、脱出方向を判断しやすい。
【００２２】
また、上述の消防用ホースにおいて、ホース部の中央側から端部を見て第１の表示ラインが左側に位置する第１の端部に雄型金具が取り付けられ、ホース部の中央側から端部を見て第２の表示ラインが左側に位置する第２の端部に雌型金具が取り付けられていることが発明の消防用ホースによれば、第２の表示ラインが左側に位置するようにホース部を跨いだその前方が脱出方向であることをすぐに判断することができる。
【００２３】
本発明に係る消防用ホースの端部識別方法によれば、この端部識別方法を適用できる消防用ホースは、ホース部の中央側から端部を見て第１の表示ラインが左側に位置する第１の端部に雄型金具が取り付けられ、ホース部の中央側から端部を見て第２の表示ラインが左側に位置する第２の端部に雌型金具が取り付けられているので、第１の表示ライン及び第２の表示ラインの一方から他方へ横切るようにＳ字を描いた場合、Ｓ字の終端が第１の表示ラインに位置するときはホースの左側の端部に雄型金具が取り付けられており、Ｓ字の終端が第２の表示ラインに位置するときはホース部の左側の端部に雌型金具が取り付けられていることを判定することができる。つまり、第１の表示ライン及び第２の表示ラインを横切るようにＳ字を描いた場合、Ｓ字の終端が第１の表示ラインに位置するときは、ホース部に沿って右側が脱出方向であり、Ｓ字の終端が第２の表示ラインに位置するときは、ホース部に沿って左側が脱出方向であることを直ぐに判別できる。
【図面の簡単な説明】
【００２４】
【図１】本発明に係る第１の実施形態の消防用ホースの平面図。
【図２】図１の消防用ホースの一部を拡大した平面図。
【図３】図２の消防用ホースのホース部の長さ方向を横切る断面図。
【図４】図２の消防用ホースの表示ラインの他の色の組み合わせを示す図。
【図５】本発明に係る第２の実施形態の消防用ホースの一部を拡大した平面図。
【図６】本発明に係る第３の実施形態の消防用ホースの一部を拡大した平面図。
【図７】本発明に係る第４の実施形態の消防用ホースの一部を拡大した平面図。
【発明を実施するための形態】
【００２５】
本発明に係る第１の実施形態の消防用ホース１について、図１から図３を参照して説明する。図１に示す消防用ホース１は、消火栓やポンプ車の吸水口に結合され火災現場で送水するために使用される。消防用ホース１は、一方の端部となる第１の端部１Ａに雄型金具２が取り付けられ、他方の端部となる第２の端部１Ｂに雌型金具３が取り付けられている。一般に、消火栓やポンプ車の吐出口が雄型金具であるので、消防用ホース１は、雌型金具３が水源側に配置され、雄型金具２が放水側に配置される。
【００２６】
消防隊員は、消火活動のために建屋内部に進入した場合、帰路（脱出経路）を容易に判断できる必要がある。このとき、建屋内部に引き込んだ消防用ホース１を辿ってゆくことが一般的であるが、視界が悪いとどちらへ行けば水源側となる第２の端部１Ｂへ向かうのか、すなわち脱出方向であるのか判断に迷うことになる。
【００２７】
本実施形態の消防用ホース１は、図１及び図２に示すように、ホース部１１と第１の表示ライン１２と第２の表示ライン１３とを備えているので、消防用ホース１の一部分を見るだけで第１の端部１Ａと第２の端部１Ｂを容易に特定することができる。したがって、予め、雄型金具２及び雌型金具３のどちらが第１の端部１Ａ及び第２の端部１Ｂにそれぞれ取り付けられているのかを把握していることで、本発明の端部識別方法によって、端部の金具を直接見ることなく、容易に脱出方向を特定することができる。
【００２８】
この消防用ホース１のホース部１１は、たて糸１１１とよこ糸１１２で筒状に織られたジャケット１１０で覆われている。ジャケット１１０は、いわゆる「綾織」で織られており、たて糸１１１の密度が高いので、たて糸１１１が外表面に露出している。綾織以外に、平織りや朱子織であってもよい。ジャケット１１０の内面は、柔軟な合成樹脂製のライニング材１１３（図３参照）で覆われている。
【００２９】
第１の表示ライン１２は、ホース部１１の長さ方向に沿って外面に露出して配置され、ホース部１１の素地の色と異なる色に着色されている。本実施形態では、第１の表示ライン１２は、ホース部１１の素地の色と異なる色に染色されたたて糸１１１で形成されている。具体的には、ホース部１１の素地の色は白色であり、第１の表示ライン１２を形成するたて糸１１１は第１の色として赤色に染色されている。
【００３０】
第２の表示ライン１３は、ホース部１１の外面に第１の表示ライン１２に平行して配置され、第１の表示ライン１２との境界を中心に第１の表示ライン１２に対して色及び線幅の少なくとも一方が非対称である。本実施形態では、図２に示すように、第２の表示ライン１３の線幅Ｗ２は、第１の表示ライン１２の線幅Ｗ１と同じ幅であり、したがって、第２の表示ライン１３は、第１の表示ライン１２に対して色が非対称である。すなわち、第２の表示ライン１３は、ホース部１１の素地の色及び第１の表示ライン１２の第１の色（すなわち赤色）とは異なる第２の色として青色である。第２の表示ライン１３は、第１の表示ライン１２と同様に、ホース部１１の素地の色と異なる色に着色されたたて糸１１１で形成されており、本実施形態においては、第２の色の青色に着色されたたて糸１１１で形成されている。
【００３１】
ここで、「色が非対称である」とは、第１の表示ライン１２と第２の表示ライン１３の境界を中心として対称性を有していない配色であることを意味する。つまり、上述のように第１の表示ライン１２が第１の色として赤色であり、第２の表示ライン１３が第２の色として青色であるように、それぞれが単色であることの他に、例えば、第１の色として赤と黄色のストライプであるのに対し第２の色として青と黄色のストライプであってもよい。また、第１の色及び第２の色として、綾織で織れる異なる模様であってもよい。ただし、ホース部１１を１８０度回転させて第１の端部１Ａと第２の端部１Ｂの位置を入れ替えたときに模様が重なる２回回転対称であってはならない。
【００３２】
また、ホース部１１は、第１の表示ライン１２と第２の表示ライン１３の間に第１の色及び第２の色と異なる第３の色の境界ライン１４を備える。本実施形態では、境界ライン１４の第３の色は、ホース部１１の素地の色と同色である白色のたて糸１１１で構成されている。第３の色は、第１の色、第２の色及びホース部１１の素地の色とも異なる色であってもよい。境界ライン１４は、第１の表示ライン１２及び第２の表示ライン１３の間に配置されるので、第１の色及び第２の色をそれぞれ際立たせる色が望ましい。境界ライン１４は、着色されたたて糸１１１で形成される代わりに、蓄光材や蛍光材又は反射材が含浸されたたて糸１１１で形成されてもよい。また、たて糸１１１よりも境界がはっきりするように、第３の色に着色された合成樹脂層で境界ライン１４を形成してもよい。なお、第１の色と第２の色の配色において互いの境界が明確であれば、境界ライン１４を設けずに、第１の表示ライン１２と第２の表示ライン１３を隣り合わせて配置してもよい。
【００３３】
この消防用ホース１は、偏平した状態で渦巻き状に捲回される、いわゆる「平ホース」である。したがって、ホース部１１が偏平された状態でホース幅の両縁となる耳部１５の範囲を示す目印線１６をさらに備える。目印線１６は、ホース部１１の素地の色と異なる色、本実施形態では、第１の色（赤色）及び第２の色（青色）とも異なる緑色に着色されている。耳部１５は、それ以外の部分よりもたて糸１１１の密度が高い。本実施形態において、目印線１６は、１つのたて糸１１１で形成される。ジャケット１１０は、綾織であるので、目印線１６が破線となっておもて面に露出している。少なくとも２本の隣り合うたて糸１１１で形成すれば、目印線１６は、ジャケット１１０の外表面に連続的に表れる。
【００３４】
第１の表示ライン１２及び第２の表示ライン１３は、消防用ホース１が送水されている状態と扁平された状態のいずれにおいても容易に目視できることが好ましい。そこで、消防用ホース１は、第１の表示ライン１２及び第２の表示ライン１３の組を、ホース部１１の周方向に少なくとも２か所に有している。図３は、消防用ホース１に水が通され膨らんだ状態で、図２中のＦ３−Ｆ３線に沿って第２の端部１Ｂ側を見た端面図である。本実施形態の場合、図３に示すように、ホース部１１の周方向に概ね１８０度離れた２か所に第１の表示ライン１２及び第２の表示ライン１３の組を配置している。第１の表示ライン１２と第２の表示ライン１３の組を周方向に３か所に配置する場合は、概ね１２０度、互いに離れた位置に配置すればよい。第１の表示ライン１２及び第２の表示ライン１３が目印線１６に重なる場合であっても、第１の表示ライン１２及び第２の表示ライン１３は、第１の色及び第２の色のたて糸１１１でそれぞれ形成されるので、目印線１６をそのままに配置することができる。
【００３５】
本実施形態の消防用ホース１において、以上のように第１の表示ライン１２及び第２の表示ライン１３が設けられたホース部１１に対して、雄型金具２は、ホース部１１の中央側から端部を見て第１の表示ライン１２が左側に位置する第１の端部１Ａに取り付けられ、雌型金具３は、ホース部１１の中央側から端部を見て第２の表示ライン１３が左側に位置する第２の端部１Ｂに取り付けられる。
【００３６】
雄型金具２は第１の端部１Ａに取り付けられているので、消防用ホース１のホース部１１を跨いで見下ろした場合に左側に位置する表示ラインが第１の表示ライン１２であれば、その前方に雄型金具２が取り付けられている放水（第１の端部１Ａ）側であることを意味する。したがって、この場合は後方が脱出方向であることが分かる。同様に、雌型金具３は第２の端部１Ｂに取り付けられているので、消防用ホース１のホース部１１を跨いで見下ろした場合に左側に位置する表示ラインが第２の表示ライン１３であれば、その前方に雌型金具３が取り付けられている水源（第２の端部１Ｂ）側であることを意味する。したがって、この場合は前方が脱出方向であることが分かる。また、言い換えれば、消防用ホース１のホース部１１を跨いで上から見下ろした場合に、第１の表示ライン１２が右側（第２の表示ライン１３が左側）にあれば前方が脱出方向であり、第１の表示ライン１２が左側（第２の表示ラインが右側）にあれば後方が脱出方向であるとも言える。
【００３７】
以上のように消防用ホース１の向きを特定する以外に、本発明の消防用ホース１に対して本発明の端部識別方法を適用することで、ホース部１１の一部分を見るだけで消防用ホース１に沿ってどちら側に脱出すればよいか、もっと簡単にかつ瞬時に判断することができる。
【００３８】
第１の端部１Ａに雄型金具２が取り付けられ、第２の端部１Ｂに雌型金具３が取り付けられた上述の消防用ホース１に対し、本発明の端部判別方法は、第１の表示ライン１２及び第２の表示ライン１３の一方から他方へ横切るようにＳ字１００を描くことで、ホース部１１のどちら側の端部に雌型金具３が配置されているのかを識別する。具体的には、Ｓ字１００を描き切った終端が第１の表示ライン１２に位置する場合、ホース部１１の左側の端部は第１の端部１Ａであり、雄型金具２が取り付けられていることを示す。したがって、この場合の脱出方向は、ホース部１１に沿って右側となる。また、Ｓ字１００を描き切った終端が第２の表示ライン１３に位置する場合、ホース部１１の左側の端部は第２の端部１Ｂであり、雌型金具３が取り付けられていることを示す。したがって、この場合の脱出方向は、ホース部１１に沿って左側となる。つまり、第１の表示ライン１２と第２の表示ライン１３にＳ字１００を描きその終端が第１の表示ライン１２であり第１の色である場合は、Ｓ字１００を描き切った左方向と反対の右側に脱出し、Ｓ字１００を描きその終端が第２の表示ライン１３であり第２の色である場合は、Ｓ字１００を描き切った左方向へそのまま脱出すればよい。
【００３９】
なお、本実施形態では端部識別方法において描く文字は「Ｓ」であるが、「Ｓ」以外の文字であってもよい。例えば「Ｓ」のように第１の表示ライン及び第２の表示ラインを跨いで描いた場合に、その終端が右下側または左下側に来る「Ｚ」、「Ｊ」、「Ｌ」、「Ｃ」、「２」、「３」の他、画数の少ない平仮名の「う」、「え」、「さ」、「し」、「せ」、「そ」、「ち」、「つ」、「て」、「と」、「ろ」、「ん」のようなものが好ましい。いずれの文字であっても、第１の表示ライン１２及び第２の表示ライン１３によって特定される第１の端部１Ａ及び第２の端部１Ｂに対して、雄型金具２及び雌型金具３のどちらが取り付けられているのかを予め決めておくことで、文字を描いた終端側が脱出方向であるかどうかを識別できる。つまり、第１の表示ライン１２及び第２の表示ライン１３に描いた文字の終端が第１の表示ライン１２に位置するか第２の表示ライン１３に位置するかで雌型金具３が配置されている端部を瞬時に判断することができる。
【００４０】
第１の表示ライン１２の第１の色及び第２の表示ライン１３の第２の色の配色は、第１の実施形態及び第２の実施形態において示した配色に限定されない。消防活動の現場において、異なる２色の線として識別しやすい色の組み合わせ、例えば補色の関係にある色どうしを第１の色及び第２の色として使用してもよい。いくつかの配色の例を図４に示す。
【００４１】
図４は、ホース部１１を偏平させ、上側及び下側に耳部１５が位置するように見た場合の一部を配色ごとに並べて示す。（１）は、上述の第１の実施形態の配色を示している。（２）は、第２の表示ライン１３の第２の色が緑色（赤色の補色）である場合を示す。（３）は、第１の表示ライン１２の第１の色が黄色であり、第２の表示ライン１３の第２の色が青色である。（４）は、第１の表示ライン１２の第１の色が黄色であり、第２の表示ライン１３の第２の色が紫色である。（５）は、第１の表示ライン１２の第１の色が緑色であり、第２の表示ライン１３の第２の色が青色である。（６）は、第１の表示ライン１２の第１の色が緑色であり、第２の表示ライン１３の第２の色が紫色である。（７）は、第１の表示ライン１２の第１の色が橙色であり、第２の表示ライン１３の第２の色が青色である。（８）は、第１の表示ライン１２の第１の色が橙色であり、第２の表示ライン１３の第２の色が緑色である。
【００４２】
（１）〜（８）は、いずれもホース部１１の素地の色と同色（白色）のたて糸１１１で構成された境界ライン１４を第１の表示ライン１２と第２の表示ライン１３の間に有している。（９）は、境界ライン１４を配置することなく、第１の表示ライン１２の第１の色（赤色）と第２の表示ライン１３の第２の色（青色）が隣接して配置されている。いずれの配色においても第１の表示ライン１２と第２の表示ライン１３の線幅は同じである。
【００４３】
また、（１０）は、黄色の境界ライン１４を中心に第１の表示ライン１２及び第２の表示ライン１３を非対称に配置した一例に含まれる。第１の表示ライン１２の第１の色は赤色であり、第２の表示ライン１３の第２の色は青色である。そして、赤色の第１の表示ライン１２と黄色の境界ライン１４の間にその中間色である橙色のたて糸１１１を、青色の第２の表示ライン１３と黄色の境界ライン１４の間にその中間色である緑色のたて糸１１１を、それぞれ配置している。いずれの色も、その色に着色されたたて糸１１１に置き換えるだけであるので、ホース部１１を多色に着色する場合でもホース部１１を製造する工程はほぼ変えずに済む。
【００４４】
以下、本発明の第２から第４の実施形態の消防用ホースについて説明する。第１の実施形態の消防用ホースと同じ機能を有する構成は、各実施形態において第１の実施形態の構成と同じ符号を付し、詳細については第１の実施形態の記載を参酌することとする。
【００４５】
本発明の第２の実施形態の消防用ホース１について、図５を参照して説明する。図５に示す消防用ホース１において、第１の表示ライン１２と第２の表示ライン１３は、線幅が同じであり、互いに異なる第１の色（赤色）と第２の色（青色）に着色されたたて糸１１１で形成されている点において第１の実施形態と同じである。そして、第１の表示ライン１２及び第２の表示ライン１３の間に第１の色及び第２の色と異なる第３の色に着色された境界ライン１４を有している。
【００４６】
第２の実施形態において、この境界ライン１４の第３の色は、ホース部１１の素地の色とは異なる色として目印線１６と同じ緑色、に着色されている。さらに、本実施形態では、境界ライン１４が目立つように、境界ライン１４と第１の表示ライン１２の間１４１、及び境界ライン１４と第２の表示ライン１３の間１４２のそれぞれに、ホース部１１の素地と同じ色、すなわち白色のたて糸１１１を配置している。これにより、第１の表示ライン１２及び第２の表示ライン１３の境界がより明確になる。また、第１の表示ライン１２と第２の表示ライン１３がホース部１１の周方向に複数個所に配置されている場合でも、境界ライン１４を挟むように配置されている第１の表示ライン１２と第２の表示ライン１３がホース部１１の端部を判別するために使用される一組であることを判別しやすい。
【００４７】
本発明の第３の実施形態の消防用ホース１について、図６を参照して説明する。図６に示す消防用ホース１は、第１の表示ライン１２と第２の表示ライン１３の色が同色であり、第１の表示ライン１２と第２の表示ライン１３の境界を中心に第１の表示ライン１２に対して第２の表示ライン１３の線幅が非対称に配置されている。本実施形態では、第２の表示ライン１３の線幅Ｗ２の方が第１の表示ライン１２の線幅Ｗ１よりも大きい。
【００４８】
このとき第３の実施形態の消防用ホース１では、線幅の差をより明確に判別できるために、第１の表示ライン１２と第２の表示ライン１３の間にホース部１１の素地の色と同色（白色）の境界ライン１４を有しており、第１の表示ライン１２及び境界ライン１４を足し合わせた線幅ＷＡよりも第２の表示ライン１３の線幅Ｗ２の方が大きい。
【００４９】
第３の実施形態の消防用ホース１において、ホース部１１の中央側から端部を見て第１の表示ライン１２が左側に位置する第１の端部１Ａに雄型金具２が取り付けられており、ホース部１１の中央側から端部を見て第２の表示ライン１３が左側に位置する第２の端部１Ｂに雌型金具３が取り付けられている。
【００５０】
第１の表示ライン１２の線幅Ｗ１と第２の表示ライン１３の線幅Ｗ２が異なっているので、消防用ホース１を照らす明かりの色によって表示ラインの色を判別しにくい場合でも２つの表示ラインを簡単に見分けることができる。第３の実施形態では、ホース部１１を跨いで見下ろした場合に左側の線幅の方が小さい場合、すなわち左側に第１の表示ライン１２が位置している場合、その前方に雄型金具２が取り付けられている放水（第１の端部１Ａ）側であることを意味する。したがって、後方が脱出方向であることが分かる。また、ホース部１１を跨いで見下ろした場合に左側の線幅の方が大きい場合、すなわち左側に第２の表示ライン１３が位置している場合、その前方に雌型金具３が取り付けられている水源（第２の端部１Ｂ）側であることを意味する。したがって、前方が脱出方向であることが分かる。
【００５１】
また、第１の表示ライン１２及び第２の表示ライン１３に対して、これらを横切るようにＳ字１００を描く本発明の端部識別方法を適用すれば、ホース部１１の一部分を基に脱出方向を容易に判別することができる。具体的には、上述のようにホース部１１に第１の端部１Ａに雄型金具２が取り付けられ第２の端部１Ｂに雌型金具３が取り付けられている場合、Ｓ字１００を描き切った終端が第１の表示ライン１２に位置する場合は、ホース部１１に沿って右側が脱出方向であり、Ｓ字１００を描き切った終端が第２の表示ライン１３に位置する場合は、ホース部１１に沿って左側が脱出方向となる。
【００５２】
本発明の第４の実施形態の消防用ホース１について、図７を参照して説明する。図７に示す消防用ホース１は、第１の表示ライン１２と第２の表示ライン１３の色が同色であり、第１の表示ライン１２及び第２の表示ライン１３が並ぶどちらか一方の外側に第１の表示ライン１２の線幅Ｗ１及び第２の表示ライン１３の線幅Ｗ２とは異なる線幅Ｗ３の第３の表示ライン１７を有している。
【００５３】
第４の実施形態では、図７に示すように、第１の表示ライン１２の外側（すなわち第２の表示ライン１３の反対側）に第３の表示ライン１７を有しており、第３の表示ライン１７の線幅Ｗ３は、第１の表示ライン１２の線幅Ｗ１及び第２の表示ライン１３の線幅Ｗ２よりも小さい。第１の表示ライン１２と第３の表示ライン１７の間にはこれらを区別するためにホース部１１の素地と同じ白色の境界ライン１４が設けられている。このように、同色であっても線幅の異なる３本の表示ラインが並ぶ場合、ホース部１１の第１の端部１Ａと第２の端部１Ｂは、一義的に決まる。なお、境界ライン１４は、第１の表示ライン１２と第２の表示ライン１３と第３の表示ライン１７との境界が明らかになればよいので、ホース部１１の素地の色と同色でなくてもよい。
【００５４】
つまり、ホース部１１の中央側から第１の端部１Ａを見た場合とホース部１１の中央側から第２の端部１Ｂを見た場合とで、３本の表示ラインが同じ配置にならない限り、第１の端部１Ａと第２の端部１Ｂを見分けることができる。第１の表示ライン１２の線幅Ｗ１、第２の表示ライン１３の線幅Ｗ２、及び第３の表示ライン１７の線幅Ｗ３は、例えば図７のように各表示ラインが並んでいる場合、Ｗ３＜Ｗ１＜Ｗ２の順に大きくなっていてもよいし、Ｗ１＜Ｗ３＜Ｗ２の順あるいはＷ２＜Ｗ１＜Ｗ３の順に大きくなっていてもよいし、またこれ以外の順番であってもよい。
【００５５】
第４の実施形態のように構成された消防用ホース１に対し、本発明の端部識別方法を用いれば、他の実施形態と同様に、ホース部１１の一部を見て脱出方向を即座に判別することができる。また、表示ラインの本数は３本以上あってもよい。さらに、第１の表示ライン１２と第２の表示ライン１３と第３の表示ライン１７は、線幅のみが異なるだけでなく、それぞれ別の色であってもよい。第１の表示ライン１２、第２の表示ライン１３、及び第３の表示ライン１７のそれぞれ色と線幅Ｗ１，Ｗ２，Ｗ３の組み合わせが異なるものを用意することで、建物への進入経路ごとに、あるいは消防署ごとに、識別することにも利用できる。
【００５６】
以上、本発明に係る消防用ホース１及び端部識別方法ついて第１から第４の実施形態を用いて説明した。これらの実施形態は、本発明を実施するにあたって理解しやすくするための一例に過ぎない。したがって、本発明を実施するにあたってその趣旨を逸脱しない範囲で、各構成を同等の機能を有するものに置き換えて実施することも可能であり、それらもまた本発明に含まれる。また、各実施形態で説明した構成のいくつかを互いに組み合わせて、あるいは置き換えて実施されることも本発明に含まれる。
【００５７】
例えば第３の実施形態の消防用ホース１において、第１の表示ライン１２及び第２の表示ライン１３を第１の実施形態や第２の実施形態のように第１の色と第２の色で構成してもよい。また、いずれの実施形態でも、ホース部１１の素地の色を白色として説明したが、素地の色が赤色や青色である場合は、第１の色または第２の色として白色であってもよい。また目印線１６の色もホース部１１の素地の色と異なる色であれば、赤色や青色などであってもよい。
【符号の説明】
【００５８】
１…消防用ホース、１Ａ…第１の端部、１Ｂ…第２の端部、２…雄型金具、３…雌型金具、１１…ホース部、１１１…たて糸、１１２…よこ糸、１２…第１の表示ライン、１３…第２の表示ライン、１４…境界ライン、１７…第３の表示ライン。
【図１】
0006656893.tif 000002
【図２】
0006656893.tif 000003
【図３】
0006656893.tif 000004
【図４】
0006656893.tif 000005
【図５】
0006656893.tif 000006
【図６】
0006656893.tif 000007
【図７】
0006656893.tif 000008